(57)【要約】【課題】            特定空間における空気汚染の汚染因子によって捕集するものと、廃棄するものとに大別して補完しあって処理し、エネルギーロスの少ない、コンパクトな空気浄化システムを得る。【解決手段】          喫煙コーナーや喫煙室といった区切られた特定空間１の天井２又はその近くに、この特定空間１の空気を外部に排気する排気用の換気装置３を設け、床側に、特定空間１の空気を循環させながら吸込んだ空気を浄化する空気浄化装置４を設け、換気装置３と空気浄化装置４とを連動させて運転するようにする。空気浄化装置４と換気装置３に通信手段１１を設け、通信により連動させる。【選択図】          図１
2006162147.tif 000002
【特許請求の範囲】
【請求項１】
喫煙コーナーや喫煙室といった区切られた特定空間の天井又はその近くに、この特定空間の空気を外部に排気する排気用の換気装置を設け、床側に、この特定空間の空気を循環させながら吸込んだ空気を浄化する空気浄化装置を設け、前記換気装置と前記空気浄化装置とを連動させて運転するようにした空気浄化システム。
【請求項２】
請求項１に記載の空気浄化システムであって、空気浄化装置と換気装置の連動を無線の通信手段で行うようにした空気浄化システム。
【請求項３】
請求項１又は請求項２のいずれかに記載の空気浄化システムであって、通信手段はその発信信号を間欠的に繰り返す空気浄化システム。
【請求項４】
請求項１に記載の空気浄化システムであって、空気浄化装置と換気装置の連動をケーブルによる通信手段で行うようにした空気浄化システム。
【請求項５】
請求項１〜請求項４までのいずれかに記載の空気浄化システムであって、空気浄化装置の運転を受けて換気装置が運転する空気浄化システム。
【請求項６】
請求項１〜請求項５までのいずれかに記載の空気浄化システムであって、空気浄化装置の運転を受けて換気装置が設定時間遅れて運転する空気浄化システム。
【請求項７】
請求項１〜請求項６までのいずれかに記載の空気浄化システムであって、空気浄化装置と連動する換気装置を複数台特定空間に設けた空気浄化システム。
【請求項８】
請求項１〜請求項６までのいずれかに記載の空気浄化システムであって、複数台の空気浄化装置と連動する換気装置を特定空間に設けた空気浄化システム。
【請求項９】
請求項１〜請求項８までのいずれかに記載の空気浄化システムであって、空気浄化装置の停止から遅延して換気装置が停止するようにした空気浄化システム。
【請求項１０】
請求項１〜請求項９までのいずれかに記載の空気浄化システムであって、換気装置を強弱運転の可能なものとし、空気浄化装置の運転と連動して前記換気装置が強運転するようにした空気浄化システム。
【請求項１１】
請求項１〜請求項１０までのいずれかに記載の空気浄化システムであって、換気装置を強弱運転の可能なものとし、空気浄化装置の運転と連動して前記換気装置が強運転し、この空気浄化装置の停止により前記換気装置が弱運転するようにした空気浄化システム。
【請求項１２】
請求項１〜請求項１１までのいずれかに記載の空気浄化システムであって、特定空間の浮遊粉塵あるいはガス濃度を検知するセンサーを設け、検知された濃度がしきい値を越えると空気浄化装置と換気装置が連動して運転するようにした空気浄化システム。
【発明の詳細な説明】
【技術分野】
【０００１】
本発明は、喫煙コーナーや喫煙室といった区切られた特定空間の空気を浄化する空気浄化システムに関するものである。
【背景技術】
【０００２】
喫煙コーナーや喫煙室といった区切られた特定空間の空気を浄化する空気浄化システムとして、汚染空気を攪拌することなく速やかに排気して特定空間の空気を清浄に保つ工夫を講じたものが、特許文献１に開示されている。
【０００３】
【特許文献１】特開平１０−２６７３４４号公報
【発明の開示】
【発明が解決しようとする課題】
【０００４】
従来の空気浄化システムは、喫煙コーナーや喫煙室といった特定空間を、その他の空間と送風パーティションで仕切っている。送風パーティションにはシロッコファンが組込まれ、シロッコファンにより、特定空間の下方に開口した下部吸込口から汚染空気を吸込み、特定空間の上方に開口した上部吹出口から吹出すようになっている。特定空間の天井には天井埋込み型換気扇が設けられ、この天井埋込み型換気扇によって特定空間の空気が外部に排気される。しかし、喫煙による煙草の煙は、立ち昇るものや、喫煙者の口や鼻腔から吹出されるものが主で、特定空間内に広く拡散する。従って、下部吸込口から煙を拡散させずに吸込ませるには、処理風量の大きな送風機が必要で、特定空間の上方の煙混じりの汚染空気を排気するにも大きな処理風量の天井埋込み型換気扇が必要である。そして、換気に依存した空気浄化は、空調している所では、空調についてのエネルギーロスが増加してしまう。
【０００５】
特定空間の空気汚染の汚染因子は、粒子成分とガス成分とに大別することができ、煙草の煙にそうした因子が含まれる。ガス成分の中には一酸化炭素や窒素酸化物の他、特定空間の空気に臭気をもたらす酢酸やアンモニア、アセトアルデヒドといったものもある。このうち、粒子成分や臭気成分についてはフィルターによって除去が可能である。しかしながらガス成分の或るものについては、特殊な装置が必要になるなどコストがかかり除去は難しい。
【０００６】
本発明は、上記した課題を解決するためになされたものであり、その目的とするところは、特定空間における空気汚染の汚染因子によって捕集するものと、排気するものとに大別して補完しあって処理し、エネルギーロスの少ない、コンパクトな空気浄化システムを得ることである。
【課題を解決するための手段】
【０００７】
上記課題を解決するために本発明は、喫煙コーナーや喫煙室といった区切られた特定空間の天井又はその近くに、特定空間の空気を外部に排気する排気用の換気装置を設け、床側に、特定空間の空気を循環させながら吸込んだ空気を浄化する空気浄化装置を設け、換気装置と空気浄化装置とを連動させて運転するようにする手段を採用する。
【発明の効果】
【０００８】
本発明によれば、特定空間の空気汚染について、汚染因子のうちの粒子成分と臭気成分は、床側に設けた、特定空間の空気を循環させながら吸込んだ空気を浄化する空気浄化装置により処理し、ガス成分の多くは、天井又はその近くに設けた換気装置により排気とともに外部に排気されることになり、空気浄化装置と換気装置が補完しあって特定空間の空気を浄化することができる。従って、換気装置は、処理風量の大きなものは不要で、空調に係るエネルギーロスも少なくなり、システム自体もコンパクトなものとなる。
【発明を実施するための最良の形態】
【０００９】
本発明の空気浄化システムは、喫煙コーナーや喫煙室といった区切られた特定空間の天井又はその近くに、特定空間の空気を外部に排気する排気用の換気装置を設け、床側に、特定空間の空気を循環させながら吸込んだ空気をフィルター等で捕集して浄化する空気浄化装置を設けている。空気浄化装置には、人感センサーが設けられ、人感センサーが喫煙者を検知すると運転を開始し、非検知では停止する。また、空気浄化装置には、運転／停止の状態を信号として出力する通信手段を設け、換気装置にも通信手段を設けている。空気浄化装置の通信手段により送信があると、換気装置の通信手段は、これを受信して換気装置を空気浄化装置と連動して運転させる。これにより、特定空間が空気汚染される状況になれば、汚染因子のうちの粒子成分や臭気成分は、床側に設けた、特定空間の空気を循環させながら吸込んだ空気を浄化する空気浄化装置により処理され、ガス成分の多くは、天井又はその近くに設けた換気装置により排気とともに外に排気されることになり、空気浄化装置と換気装置が補完しあって特定空間の空気を浄化する。
【００１０】
実施の形態１．
図１と図２は、本実施の形態の空気浄化システムを示すシステム構成図、図３は、その動作を示すフローチャート、図４，図５は、他の形態を示す構成図である。本実施の形態の空気浄化システムは、喫煙コーナーや喫煙室といった区切られた特定空間１の天井２又はその近くに、特定空間１の空気を外部に排気する排気用の換気装置３を設け、床側に、特定空間１の空気を循環させながら吸込んだ空気を浄化する空気浄化装置４を設けている。換気装置３は、強ノッチ運転と弱ノッチ運転が可能であり、通常は弱ノッチで特定空間１の常時換気が行われるか停止している。
【００１１】
空気浄化装置４は、キャビネット型で、天板５上面の略中央に吸込口が、底部あるいは側部に吹出口がそれぞれ開口した通風路を備えている。通風路には、吸込口から吹出口に向かう空気流を形成する送風機６が組込まれ、送風機６の吸込み側の通風路には、通風路を横断する状態に粉塵を捕集する除塵フィルター７が設けられ、その下流側に臭気成分を除去する脱臭部８が設けられている。
【００１２】
空気浄化装置４には、焦電型の人感センサー９が設けられ、人感センサー９が喫煙者を検知すると運転を開始し、非検知では停止している。また、空気浄化装置４には、運転／停止の状態を信号として出力する赤外線での通信手段１１が設けられている。通信手段１１は、キャビネットの天板５に設けられている。空気浄化装置４の通信手段１１は、信号を例えば、１０分間に一〜三回、間欠的に送信する。換気装置３には受信手段１３が設けられ、空気浄化装置４の通信手段１１により送信があると、換気装置３の受信手段１３は、これを受信して換気装置３を空気浄化装置４と連動して弱運転（停止）から強運転に移行させる。
【００１３】
これにより、特定空間１が空気汚染される状況になれば、図３のフローチャートのように動作する。即ち、汚染因子のうちの粒子成分や臭気成分は、床側に設けた、特定空間１の空気を循環させながら吸込んで空気を浄化する空気浄化装置４により処理され、ガス成分の大半は、天井２又はその近くに設けた換気装置３により排気とともに外部に排気されることになり、空気浄化装置４と換気装置３が補完しあって特定空間１の空気を効率よく浄化するすることができる。何らかの要因で送信が妨害されても間欠的に送信されるので空気浄化装置４と換気装置３の連動は保持される。換気装置３は、特定空間１の空気を全部排気処理するわけではないので、処理風量の大きな大型のものは不要で、空調に係るエネルギーロスも少なくなり、システム自体もコンパクトなものとなる。図２に示すように通信手段１１をケーブル１４で繋いで、ケーブル１４を介して通信するようにしても良い。ケーブル１４によれば外乱や通信妨害は勘案しなくても済む。
【００１４】
人感センサー９については、空気浄化装置４の電源スイッチのオン／オフによって置換えることもでき、特定空間１に人が入ると、ガス成分がただちに高濃度になるわけではないので、空気浄化装置４の運転を受けてから設定時間（特定空間１の広さ等を考慮して）遅れて換気装置３を強運転するようにしても良い。また、人が居なくなれば、ただちにガス成分が無くなるわけではないので、換気装置３については残置運転してから弱運転（又は停止）に移行するようにしても良い。この空気浄化システムは、図４に示すように空気浄化装置４と連動する複数台の換気装置３で構成することもでき、また、図５に示すように複数台の空気浄化装置４と連動する換気装置３で構成することもできる。これらの構成は、特定空間１の広さや特質によって適宜に採用すれば良い。
【００１５】
実施の形態２．
図６，図７に示す本実施の形態は、特定空間の浮遊粉塵やガス濃度を検知するセンサーを設けたもので、それに係る構成以外は、実施の形態１のものと同じである。従って、実施の形態１のものと同じ部分については、実施の形態１のものと同じ符号を付し、それらについての説明は省略する。
【００１６】
図６は、本実施の形態の空気浄化システムのシステム構成図、図７はその動作を示すフローチャートである。図６に示すようにこの空気浄化システムは、特定空間１の浮遊粉塵やガス濃度を検知するセンサー１５が空気浄化装置４の外表や特定空間１の天井２等に設けられている。換気装置３は、このセンサー１５の検知する濃度が、しきい値（浮遊塵埃の場合は、例えば０．１５ｍｇ／ｍ３）を越えると空気浄化装置４と連動して運転し、または強ノッチの運転に移行するようになっている。換気装置３は、センサー１５の検知出力が、しきい値以下では空気浄化装置４と連動せず、独自に弱ノッチで運転するか停止している。これにより、換気による空調等に係るエネルギーロスを一層少なくすることができる。
【図面の簡単な説明】
【００１７】
【図１】空気浄化システムのシステム構成図である。(実施の形態1）
【図２】他の空気浄化システムのシステム構成図である。(実施の形態1）
【図３】空気浄化システムの動作を示すフローチャートである。(実施の形態1）
【図４】他の空気浄化システムの構成図である。(実施の形態1）
【図５】他の空気浄化システムの構成図である。(実施の形態1）
【図６】空気浄化システムのシステム構成図である。(実施の形態２）
【図７】空気浄化システムの動作を示すフローチャートである。(実施の形態２）
【符号の説明】
【００１８】
１  特定空間、  ２  天井、  ３  換気装置、  ４  空気浄化装置、  ５  天板、  ６  送風機、  ７  除塵フィルター、  ８  脱臭部、  １１  通信手段、  １４  ケーブル、  １５  センサー。
【図１】
2006162147.tif 000003
【図２】
2006162147.tif 000004
【図３】
2006162147.tif 000005
【図４】
2006162147.tif 000006
【図５】
2006162147.tif 000007
【図６】
2006162147.tif 000008
【図７】
2006162147.tif 000009